(57)【特許請求の範囲】
【請求項１】
撮像手段を内包したレンズユニットを機器本体に取付固定するレンズユニット取付装置であって、前記レンズユニットに設けられた第１及び第２の係合手段と、前記第１の係合手段が係合され前記レンズユニットを回動自在に保持するとともに光軸に対して垂直方向の位置決めを行うために前記機器本体に設けられた第１の被係合手段と、前記第２の係合手段が係合され前記レンズユニットの前記垂直方向とは異なる方向の位置決めを行うために前記機器本体に設けられた第２の被係合手段とを備えたことを特徴とするレンズユニット取付装置。
【請求項２】
撮像手段を内包したレンズユニットを機器本体に取付固定するレンズユニット取付装置であって、前記レンズユニットに設けられた第１及び第２の係合手段と、前記第１の係合手段が係合され前記レンズユニットを回動自在に保持するとともに光軸に対して垂直方向の位置決めを行うために前記機器本体に設けられた第１の被係合手段と、前記第２の係合手段が係合され前記レンズユニットの前記垂直方向とは異なる方向の位置決めを行うために前記機器本体に設けられた第２の被係合手段とを備え、前記第１の係合手段と前記第１の被係合手段とが係合し、前記第１の係合手段を中心にしてレンズユニットを回動させ、前記第２の係合手段と前記第２の被係合手段とを係合することを特徴とするレンズユニット取付装置。
【発明の詳細な説明】
【０００１】
【発明の属する技術分野】
本発明は、ビデオカメラなどの各種小型機器のユニット取付に利用して有効なレンズユニット取付装置に関するものである。
【０００２】
【従来の技術】
近年、あらゆる小型携帯機器において一層の小型化が進み機器組み立てのためのビス締結部や、位置規制の形状を十分に確保するのが困難になり位置規制をメクラ作業（接続部分などを目視できずに、手探りにて行う作業のこと）で行う構成をとらなければならないことが多々発生しており、作業性、品質などの観点から改善が求められていた。
【０００３】
以下に従来のビデオカメラが採用している取付方法について説明する。
【０００４】
図４は従来のレンズユニット取付装置において機器本体組み立て途中の分解斜視図で、図４（ａ）はレンズの位置決め前の状態で本来は見えない位置決め部分を一部破断することで図示している。また図４（ｂ）はレンズの位置決め後の状態である。
【０００５】
図４において、４はビデオカメラ本体で、組み立て途中であるが完成後は内部に被写体を撮像する撮像部、周囲の音を入力するマイク部、撮像部およびマイク部から得られた映像および音声信号をテープ状記録媒体に記録し記録された信号を再生する映像信号記録再生部を有する機器である。５はレンズユニットで、前記した撮像部である。
【０００６】
以上のように構成された従来のレンズユニット取付装置について、以下その動作について説明する。
【０００７】
レンズユニット５を本体４に組み立てる時、レンズ５に形成された位置決めピン５ｂ及び５ｃが、それぞれビデオカメラ本体４に形成された位置決め孔４ｂ及び４ｃにそれぞれ貫通することで位置が決まり、レンズ５のボス５ａがビデオカメラ本体４のビス用孔４ａに重なり、図４（ｂ）の状態になる。そして、ビス６をビス用孔４ａを挿通してボス５ａに締め込むことで、レンズユニット５をビデオカメラ本体４に固定することができる。
【０００８】
【発明が解決しようとする課題】
しかしながら上記従来の構成では、レンズユニット５の位置決めを行う際、位置決めピン５ｂ及び５ｃや位置決め孔４ｂ及び４ｃが、ビデオカメラ本体４あるいはレンズユニット５によって作業者から見えない位置になってしまい、メクラ作業が発生し、作業性を悪化させたり取付不良を起こしたりといった問題がある。また、それらを作業者から見える位置、すなわちビデオカメラ本体４やレンズユニット５の投影面より外側にすると、他の部品の取り付けに影響を与え、ビデオカメラ本体４が大型化してしまう恐れがあった。
【０００９】
本発明は上記従来の問題点を解決するもので、取付部の形状を工夫し取付方法を回転式にすることでメクラ作業を無くし作業性の向上を図ることができるレンズユニット取付装置を提供するものである。
【００１０】
【課題を解決するための手段】
この目的を達成するために本発明では、撮像手段を内包したレンズユニットを機器本体に取付固定するレンズユニット取付装置であって、前記レンズユニットに設けられた第１及び第２の係合手段と、前記第１の係合手段が挿入され前記レンズユニットを回動自在に保持するとともに光軸に対して垂直方向の位置決めを行うために前記機器本体に設けられた第１の被係合手段と、前記第２の係合手段が挿入され前記レンズユニットを前記垂直方向とは異なる方向の位置決めを行うために前記機器本体に設けられた第２の被係合手段とを備えたものである。
【００１１】
この構成によって、メクラ作業の無い組み立て性に優れた構成を実現することができる。
【００１２】
【発明の実施の形態】
本発明の請求項１及び２に記載の発明は、撮像手段を内包したレンズユニットを機器本体に取付固定するレンズユニット取付装置であって、前記レンズユニットに設けられた第１及び第２の係合手段と、前記第１の係合手段が挿入され前記レンズユニットを回動自在に保持するとともに光軸に対して垂直方向の位置決めを行うために前記機器本体に設けられた第１の被係合手段と、前記第２の係合手段が挿入され前記レンズユニットを前記垂直方向とは異なる方向の位置決めを行うために前記機器本体に設けられた第２の被係合手段とを備えたものであって、このような構成により、メクラ作業をなくすことができ、さらに組立性を向上できる。
【００１３】
以下、本発明の実施の形態について、図面を用いて説明する。
【００１４】
（実施の形態１）
図１は本発明の実施の形態の機器本体組み立て途中の要部を示す分解斜視図で、図１（ａ）はレンズユニットを回転の支点となる位置決め孔に挿入する前の状態、図１（ｂ）はレンズユニットを回転させる前の状態、図１（ｃ）はレンズユニットが本体に位置決めされた後の状態である。
【００１５】
図１において、１は機器本体であるビデオカメラ本体で、組み立て途中の図であって後ろ側は省略しているが、内部に被写体を撮像する撮像部や、周囲の音を入力するマイク部や、撮像部およびマイク部から得られた映像および音声信号をテープ状記録媒体に記録し記録された信号を再生する映像信号記録再生部を有している。ここでビデオカメラ本体１には、第１の被係合手段である回転中心兼用位置決め孔１ａ、ビス締め用孔１ｂ、第２の被係合手段である位置決め孔１ｃが形成されている。回転中心兼用位置決め孔１ａは、作業者がメクラ作業にならないように、外部より完全に目視できる位置に設けられている。また、２はレンズユニットで、レンズユニット２をビデオカメラ本体１に対して回動自在に保持するために回転中心兼用位置決め孔１ａに挿入される第１の係合手段である回転支軸兼用位置決めピン２ａと、ビス３が締結されるボス２ｂと、レンズユニット２を回転支軸兼用位置決めピン２ａを中心に回動させた時に位置決め孔１ｃに挿入される第２の係合手段である位置決めピン２ｃとを有している。回転支軸兼用位置決めピン２ａを回転中心兼用位置決め孔１ａに挿入することで、レンズユニット２の光軸に対して垂直方向の位置決めが可能となり、位置決めピン２ｃを位置決め孔１ｃに挿入することで、レンズユニット２の前述の垂直方向とは異なる方向（例えば光軸方向）への位置決めが可能となる。更に、各図における矢印は、矢印ａがレンズユニットの回転中心兼用位置決め孔１ａへの挿入方向、矢印ｂがレンズユニットの回転方向、矢印ｃがビス３の取付方向となっている。３はボス２ｂに締結することでレンズユニット２をビデオカメラ本体１に固定するビスである。
【００１６】
図２はレンズ側面の位置決めピン近傍の断面図で、図２（ａ）はレンズ回転前、図２（ｂ）はレンズ回転後（図１（ｂ）の状態に相当）、図２（ｃ）はビス締め後（図１（ｃ）の状態に相当）の図で、回転中心とは回転支軸兼用位置決めピン２ａの中心位置のことで、矢印ｂの方向に回転させると位置決めピン２ｃが位置決め孔１ｃに挿入され、ボス２ｂとボス用孔１ｂの位置が図２（ｂ）のように位置決めされ、ビス３を締め付けられる状態となる。
【００１７】
図３（ａ）はレンズ下部位置決めピン近傍の図で、同図（ｂ）に示す矢視図は位置決めピン近傍の下側面図、同図（ｃ）に示す矢視図は位置決めピン近傍の断面図で、回転支軸兼用位置決めピン２ａと一体にストッパー２ｄが形成されている。ここでストッパー２ｄは、レンズユニット２が正規の位置まで来た時にビデオカメラ本体１と当接し、レンズユニット２がその位置より下側に行かないように規制する。
【００１８】
以上のように構成された本実施の形態のレンズユニット取付装置について、以下その動作について説明する。
【００１９】
まず、図１（ａ）に示すように、レンズユニット２を矢印ａ方向へ移動させ、回転支軸兼用位置決めピン２ａを、ビデオカメラ本体１に設けられた回転中心兼用位置決め孔１ａに挿入する。この時、回転中心兼用位置決め孔１ａは、作業の終始に渡って外部より目視できるような位置に設けられているため、回転支軸兼用位置決めピン２ａの挿入は容易に行うことができる。また、この時回転支軸兼用位置決めピン２ａの先端近傍には、レンズユニット２の縦方向の位置規制を行うためのストッパー２ｄが設けられており、このストッパー２ｄが回転中心兼用位置決め孔１ａの周縁部に当接することで、レンズユニット２の縦方向（光軸に対して略垂直方向）の位置規制を行っている。
【００２０】
次に、図１（ｂ）に示すように、レンズユニット２を矢印ｂ方向に回動させ、図１（ｃ）に示す状態にする。この際の動作について図２を用いて説明する。まず、図２（ａ）に示す状態から、レンズユニット２を回転中心を中心に矢印ｂ方向に回動させ、図２（ｂ）に示すように位置決めピン２ｃを位置決め孔１ｃに挿入する。この時に、ボス２ｂとボス用孔１ｂとが重なるような位置になる。この時点でレンズユニット２の光軸方向の仮位置決めは行われたことになる。
【００２１】
そして、図１（ｃ）及び図２（ｃ）に示すように、ビス３を、ボス用孔１ｂを挿通してボス２ｂに締結することで、レンズユニット２の完全な位置決めができることとなる。
【００２２】
以上のように本実施の形態によれば、回転支軸兼用位置決めピン２ａを回転中心兼用位置決め孔１ａに挿入し、下側に押し付けながら矢印ｂの方向に回転させることで、レンズユニット側面の位置決めピン２ｃが位置決め孔１ｃに挿入され位置決めが完了する機構を実現する。
【００２３】
【発明の効果】
以上のように本発明は、メクラ作業が要らず、組立性を向上できるという優れた効果を奏することができる。
【図面の簡単な説明】
【図１】本発明の実施の形態におけるレンズユニット取付装置の取付状態を示す要部斜視図
【図２】同実施の形態における取付状態を示す要部断面図
【図３】（ａ）同実施の形態におけるレンズユニットの正面図
（ｂ）同実施の形態における位置決め用孔部の要部正面図
（ｃ）同実施の形態における位置決め用孔部の要部側面図
【図４】従来のレンズユニット取付装置の構成を示す斜視図
【符号の説明】
１  ビデオカメラ本体
１ａ  回転中心兼用位置決め孔
１ｂ  ビス締め用孔
１ｃ  位置決め孔
２  レンズユニット
２ａ  回転支軸兼用位置決めピン
２ｂ  ボス
２ｃ  位置決めピン
２ｄ  ストッパー
【図１】
0004239340.tif 000002
【図２】
0004239340.tif 000003
【図３】
0004239340.tif 000004
【図４】
0004239340.tif 000005